(57)【要約】【課題】  簡易に取り付けおよび取り外しができる継手を提供すること、並びにスプリンクラに供給する高圧の送水に使用できる継手構造を提供する。【解決手段】  継手１は、円筒状の継手本体２と、この継手本体の中央付近両側の内壁周方向に凹状に形成されたパッキン装着部２３，２４と、このパッキン装着部内に装着された円環状パッキン３，４とで構成されている。円環状パッキンは、上記パッキン装着部の底面に当接する円環基部３１と、この円環基部の内側全周を延出させて連結すべき潅水用送水パイプ５，６の表面に当接する円環当接部３２とからなる。上記継手により連結された継手構造は、円環当接部３２の自由端縁が継手本体２の内壁を中央側に向かって配置されて、潅水用送水パイプ５，６の先端と継手本体との間をシールするものである。【選択図】  図４
2005155662.tif 000002
【特許請求の範囲】
【請求項１】
スプリンクラに送水するための潅水用送水パイプを連結するための継手であって、円筒状の継手本体と、この継手本体の中央付近両側の内壁周方向に凹状に形成されたパッキン装着部と、このパッキン装着部内に装着された円環状パッキンとを備え、上記円環状パッキンは、上記パッキン装着部の底面に当接する円環基部と、この円環基部の内側全周を延出させて連結すべき潅水用送水パイプの表面に当接する円環当接部とからなり、上記円環当接部の自由端縁を上記継手本体中央側に向けて配置したことを特徴とする潅水用送水パイプ用継手。
【請求項２】
前記継手本体の両端は、連結すべき潅水用送水パイプの嵌入を許容するスリーブが構成され、このスリーブの中間に該潅水用送水パイプの内径とほぼ同一の内径を有するストッパが構成されている請求項１記載の潅水用送水パイプ用継手。
【請求項３】
前記環状パッキンは、断面略Ｃ字形に成形されて前記円環基部および円環当接部が二重構造となっている環状パッキンである請求項１または２記載の潅水用送水パイプ用継手。
【請求項４】
スプリンクラに送水するための潅水用送水パイプを連結する継手構造であって、両端にスリーブが構成される円筒状の継手本体の中央に内径を小さくしてなる小径部分が構成され、この小径部分の両側に断面略Ｃ字形の円環状パッキンが両端を上記小径部分に向けて装着され、該円環状パッキンを介しつつ連結すべき潅水用送水パイプの先端がスリーブ内に嵌入されていることを特徴とする潅水用送水パイプの継手構造。
【請求項５】
スプリンクラに送水するための潅水用送水パイプを連結する継手構造であって、両端にスリーブが構成される円筒状の継手本体の中央に内径を小さくしてなる小径部分が構成され、この小径部分の両側に断面略Ｃ字形の円環状パッキンが両端を上記小径部分に向けて装着され、該円環状パッキンを介しつつ連結すべき潅水用送水パイプの先端がスリーブ内に嵌入され、上記潅水用送水パイプの外側表面から突出する係止突起を上記スリーブに設けられた係止溝に係止してなることを特徴とする潅水用送水パイプの継手構造。
【請求項６】
前記係止突起は、前記継手本体のスリーブに周方向に所定の長さで構成された係止溝によって係止されて係止状態を維持しつつ周方向への回転を許容するとともに、上記係止突起の少なくとも一方は、上記スリーブ先端から上記係止溝に連続する係入溝を経由して係入されてなる請求項１記載の潅水用送水パイプの継手構造。
【発明の詳細な説明】
【技術分野】
【０００１】
本発明は、農業用スプリンクラに送水するために連続して配管される潅水用パイプの連結継手および継手構造に関するものである。
【背景技術】
【０００２】
圃場の散水にはスプリンクラが使用されているが、このスプリンクラに水を供給するための潅水用パイプが圃場内に敷設されていた。しかしながら、潅水時期を過ぎた圃場においてはトラクター等の農業機械を使用する必要があり、上記潅水用パイプが敷設されていると、これらの農業機械の使用が制限され、また、状況によってはこれら農業機械の使用が困難な場合があった。そこで、スプリンクラに送水するための給水管を地中に配管することが提案されていた（特許文献１参照）。
【０００３】
また、上記のような地中配管よりも簡易な方法としては、塩化ビニル製のパイプを連続してスプリンクラに供給する方法があるが、スプリンクラの散水ノズルは水圧を利用して散水するところ、送水のためのパイプの継手にも高い水圧が作用するため、接着剤で強固に接着するか、または消防用ホースの連結に使用されるもの（引用文献２参照）を流用するものであった。
【特許文献１】特開平８−１１６８０９号公報（２頁、図７）
【特許文献２】特開平８−２７７９７５号公報（２−３頁、図１、図２）
【発明の開示】
【発明が解決しようとする課題】
【０００４】
前記従来技術のように、地中に配管する構成は、基本的には固定型のスプリンクラに対する送水を目的とするため、予め大掛かりな配管工事を必要とし、零細または小規模農家にとっては、上記工事を必要とするだけの圃場面積を有しない場合が多かった。
【０００５】
一方、消防用ホースに使用する継手にかかる従来技術にあっては、上記のような大掛かりな工事を要することなく灌水用パイプを連続でき、また、農業機械を使用する時期には、継手を取り外すことによって容易に解体できる利点を有するものである。しかしながら、上記従来技術は、金属製の差し込み金具と、金属製の受け金具で構成され、しかも、差し込み金具の雄ネジ部に受け金具の雌ネジ部を螺合させて連結するため、作業に手間がかかるうえ、パイプに対して継手が高価なものとなっていた。しかも、農業用スプリンクラは、潅水時期には常時圃場に設置しているため、耕作土壌や肥料等に継手が埋もれる状態となりやすく、これら肥料等による変質や変色の発生する可能性があるのみならず、これら耕作土壌等がネジ部に侵入することがあるため、解体時に受け金具の雌ネジを緩めることが困難となる場合があった。
【０００６】
本発明は、上記諸点にかんがみてなされたものであって、その目的とするところは、簡易に取り付けおよび取り外しができる継手を提供すること、並びにスプリンクラに供給する高圧の送水に使用できる継手構造を提供することである。
【課題を解決するための手段】
【０００７】
そこで、潅水用送水パイプ用継手にかかる本発明は、スプリンクラに送水するための潅水用送水パイプを連結するための継手であって、円筒状の継手本体と、この継手本体の中央付近両側の内壁周方向に凹状に形成されたパッキン装着部と、このパッキン装着部内に装着された円環状パッキンとを備え、上記円環状パッキンは、上記パッキン装着部の底面に当接する円環基部と、この円環基部の内側全周を延出させて連結すべき潅水用送水パイプの表面に当接する円環当接部とからなり、上記円環当接部の自由端縁を上記継手本体中央側に向けて配置したことを特徴とする潅水用送水パイプ用継手を要旨とする。
【０００８】
上記の発明において、継手本体の両端には、連結すべき潅水用送水パイプの嵌入を許容するスリーブが構成され、このスリーブの中間に該潅水用送水パイプの内径とほぼ同一の内径を有するストッパを設ける構成とすることができる。また、環状パッキンを、断面略Ｃ字形に成形されて前記円環基部および円環当接部が二重構造にする構成としてもよい。
【０００９】
一方、継手構造にかかる本発明は、スプリンクラに送水するための潅水用送水パイプを連結する継手構造であって、両端にスリーブが構成される円筒状の継手本体の中央に内径を小さくしてなる小径部分が構成され、この小径部分の両側に断面略Ｃ字形の円環状パッキンが両端を上記小径部分に向けて装着され、該円環状パッキンを介しつつ連結すべき潅水用送水パイプの先端がスリーブ内に嵌入されていることを特徴とする潅水用送水パイプの継手構造を要旨とする。
【００１０】
また、継手構造にかかる発明としては、スプリンクラに送水するための潅水用送水パイプを連結する継手構造であって、両端にスリーブが構成される円筒状の継手本体の中央に内径を小さくしてなる小径部分が構成され、この小径部分の両側に断面略Ｃ字形の円環状パッキンが両端を上記小径部分に向けて装着され、該円環状パッキンを介しつつ連結すべき潅水用送水パイプの先端がスリーブ内に嵌入され、上記潅水用送水パイプの外側表面から突出する係止突起を上記スリーブに設けられた係止溝に係止してなることを特徴とする潅水用送水パイプの継手構造をも要旨とするものである。
【００１１】
上記発明において、係止突起は、継手本体のスリーブに周方向に所定の長さで構成された係止溝によって係止されて係止状態を維持しつつ周方向への回転を許容するとともに、上記係止突起の少なくとも一方は、上記スリーブ先端から上記係止溝に連続する係入溝を経由して係入されてなる構成とすることができる。
【発明の効果】
【００１２】
本発明の潅水用送水パイプ用継手によれば、比較的圧力の高い農業用水を送るために使用する潅水用の送水パイプを連結した場合、継手本体と連結すべきパイプの先端との間に装着されるパッキンの円環当接部がパイプ表面に当接できることによって水漏れが防止され、良好な継手を提供できる。また、継手本体とパイプとの間には、ある程度の間隙を有する場合であっても、上記パッキンの円環当接部が上記間隙を遮断するため、連続すべきパイプとの接合の方法に左右されることなく、同様のパイプの連結状態を実現できるものである。
【００１３】
また、継手本体内部に内径を小さくしたストッパを構成することにより、片方のスリーブごとに１本ずつのパイプを接合しても、両スリーブに嵌入するパイプの状態を一定にすることができ、これにより、順次パイプを連結する場合、既設のパイプ先端に本発明の継手を接合した後に、連続するパイプを接合したとしても予定する状態でパイプを継手に接合できるものである。さらに、パッキンの断面を略Ｃ字形にした二重構造にすれば、円環当接部の延出部分が所定の幅を有する構成となるため、円環当接部によるパイプ表面との当接状態が良好となる。
【００１４】
一方、本発明の継手構造によれば、連結すべき潅水用送水パイプを継手本体のスリーブに嵌入するとともに、当該パイプの先端が小径部分でその嵌入が停止されることによって、当該パイプの先端部分の外側表面は断面略Ｃ字形の円環パッキンの内側の片が当接することとなり、良好なシール効果を得ることとなる。また、上記パイプの先端がパッキンの一方の片に対して緩やかに嵌入している場合であっても同様のシール効果を得ることができる。
【００１５】
さらに、スリーブに設けられた係止溝によって嵌入したパイプの係止突起が係止される構成の場合、両者の係止状態から嵌入したパイプが引き抜き方向に移動することがなく、継手本体とパイプ先端との間隙を一定にすることができる。また、上記係止溝が周方向に所定の長さを有して設けられることにより、継手本体のみを周方向へ回転したとしても前記係止状態は維持され、しかも、継手本体のスリーブに嵌入されるパイプの係止突起のうち、少なくとも一方の係止突起は、係入溝を経由して係止溝に到達するものであれば、連結すべきパイプの着脱が極めて容易となる。従って、このような継手構造の場合、潅水用送水パイプを順次敷設しつつ連結するときでも、既設のパイプの先端に継手本体を接合した後、後続のパイプを継手本体に接合する際、当該後続のパイプに設けられる係止突起を係入溝に係入したうえで、継手本体を周方向に回転させることによって容易に係止させることが可能となる。また、取り外しの際には、継手本体を逆に回転させることによって容易に後続のパイプを抜き取ることも可能となる。
【発明を実施するための最良の形態】
【００１６】
以下、本発明の実施の形態を図面に基づいて説明する。本実施形態は、図１に示すように、潅水用送水パイプ５，６を連結する際に使用する継手１であって、この継手１は、円筒状の継手本体２の両側にスリーブ２１，２２が形成されており、内部に構成されたパッキン装着部２３，２４にパッキン３，４が装着されたものである。
【００１７】
継手本体２は、全体を円筒状に形成されており、中央部分には、内径をスリーブ２１，２２よりも小径にしてなる小径部分２５が形成され、この小径部分２５の両側において上記スリーブ２１，２２が構成されている。このスリーブ２１，２２は、連結すべき潅水用送水パイプ５，６の先端の嵌入を許容できる程度の内径を有して構成されており、当該潅水用送水パイプ５，６の先端が上記継手本体２の小径部分２５まで嵌入できるものである。継手本体２の内部に設けられるパッキン装着部２３，２４は、上記小径部分２５の両側内壁を周方向に沿って凹状とした円環溝で形成されており、この溝に沿って環状のパッキン３，４が装着されるものである。
【００１８】
パッキン３（，４）は、図２に示すように、大径の円環部（これを円環基部３１という）と小径の円環部（これを円環当接部３２という）とからなり、円環当接部３２は、円環基部３１の全周から延出するように一体的に構成されている。円環基部３１は、外側表面に十分な面積を有しており、前記パッキン装着部２３，２４に当接できるものであり、一方、円環当接部３２は、上記円環基部３１に重なるように、全体として二重構造となっていることから、上記延出させた部分を湾曲させる状態となり、パッキン３（，４）の全体断面略Ｃ字形に成形されている。このように構成することにより、円環基部３１と円環当接部３２との中間に空隙部３３が構成されるとともに、円環当接部３２の先端部分が継手本体２の内側に向けて突出することとなる。そこで、円環当接部３２の先端を継手本体２の中央側に向けて配置することにより、上記空隙部３３を継手本体２の中央側に向けて開口させる状態とすることができるものである。なお、円環当接部３２は、円環基部３１の幅よりも僅かに狭く構成されており、円環当接部３２の先端は、円環基部３１よりも内側に位置するようになっている。
【００１９】
また、パッキン３（，４）の円環基部３１は、前記パッキン装着部２３，２４の底面に当接させつつ装着し、潅水用送水パイプをスリーブ２１，２２から嵌入させるとき、円環当接部３２の先端部分が、当該潅水用送水パイプ５，６の先端表面に当接するのである。これにより、潅水用送水パイプ５，６を通過する水の水圧がパッキン３，４に作用すると、その水が空隙部３３に流入するとともに、円環当接部３２を上記両パイプ５，６の表面に押し付けることとなり、開口端のシール状態を良好にするものである。
【００２０】
なお、継手本体２の小径部分２５は、スリーブ２１，２２から嵌入される潅水用送水パイプ５，６の内径と同程度に設けられ、連結される潅水用送水パイプ５，６の内径を均一にして、内部を通過する水の流れ状態を安定させるとともに、上記パイプ５，６を嵌入する際、その先端は、上記小径部分２５で停止するようになり、この小径部分２５がストッパとしても機能するものである。このストッパにより潅水用送水パイプ５，６の先端位置が安定し、前記パッキン３，４によるシール作用を享受できるのである。
【００２１】
上記のような構成の継手１を使用した場合の継手構造について説明すれば、この場合の継手構造は、図３に示すように、継手本体２の両スリーブ２１，２２（図１）に潅水用送水パイプ５，６を嵌入するとともに、当該パイプ５，６の先端をパッキン３，４の内部に嵌入してなるものである。潅水用送水パイプ５，６の先端は、継手本体２の中央小径部２５により停止するまで嵌入されるが、この先端と小径部２５の間は、決して緊密な状態ではなく、間隙を有することがあり得る。そこで、上記のとおり、潅水用送水パイプ５，６の先端は、パッキン３，４の円環当接部３２の表面に当接していることから、上記間隙から水が侵入する場合、当該水がパッキン３，４の空隙部３３に流入し、このときの水圧によって円環当接部３２が潅水用送水パイプ５，６の先端表面に強く当接されるものであり、継手本体２と潅水用送水パイプ５，６とを緊密にシールしているのである。
【００２２】
継手本体２と潅水用送水パイプ５，６との固定は、その手段を限定するものではなく、例えば、継手本体２に雌ネジを刻設し、潅水用送水パイプ５，６の先端に雄ネジを刻設して、これらを直接螺合させる構成とすることができ、また、継手本体２の外側表面に雄ネジを刻設するとともに、袋ナットを使用して潅水用送水パイプ５，６の先端を中央小径部２５に押し付ける構成とすることもできる。
【００２３】
さらに、次のような継手構造とすることも可能である。すなわち、図４に示すように、継手本体２の両スリーブ２１，２２には、周方向に所定長さを有する係止溝２７，２８を貫設し、上記一方のスリーブ２１に嵌入する潅水用送水パイプ５の先端付近には係止突起７１，７２を、他方のスリーブ２２に嵌入する潅水用送水パイプ６の先端付近には同様の係止突起７３，７４を、それぞれ着脱可能に設けることによって、潅水用送水パイプ５，６の先端の係止突起７１〜７４が継手本体２の係止溝２７，２８によって係止されることから、継手本体２と潅水用送水パイプ５，６とを接合することができる。なお、上記係止突起７１〜７４の着脱は、図示のようにネジ止めによる方法とすることができる。
【００２４】
また、上記継手構造においては、図４において示しているとおり、他方のスリーブ２２に貫設される係止溝２８に連続する係入溝２９をも貫設してなる構成の継手本体２を使用することができる。この場合、上記係止溝２８によって係止されるべき係止突起７３，７４は、潅水用送水パイプ６をスリーブ２２に嵌入する前に予め装着することができるものであり、このような構成とすれば、先に敷設されている潅水用送水パイプ５に、次順位の潅水用送水パイプ６を連続する場合に好適である。すなわち、第一に、敷設されている潅水用送水パイプ５に対して継手１を接合する場合は、継手本体２の一方のスリーブ２１を使用し、潅水用送水パイプ５の先端を当該スリーブ２１に嵌入したうえで、係入溝２７を介して係止突起７１，７２を潅水用送水パイプ５に装着することにより、第二に、上記継手１に対して連続すべき潅水用送水パイプ６を接合する場合は、上記継手本体２の他方のスリーブ２２を使用し、潅水用送水パイプ６に予め係止突起７３，７４を係入溝２９から侵入させつつ、当該潅水用送水パイプ６の先端を上記スリーブ２２に嵌入することによることができるのである。
【００２５】
このとき、係入溝２９から侵入させた係止突起７３，７４を係止溝２８で係止させるためには、継手本体２および潅水用送水パイプ６を相対的に周方向に回転させることが必要となる。そこで、継手本体２に設けられる係止溝２７，２８は、周方向に所定の長さを有しているから、既設の潅水用送水パイプ５の状態を変化させることなく継手本体２のみを周方向に回転させることができ、この継手本体２の回転により、連続すべき潅水用送水パイプ６の係止突起７３，７４を他方スリーブ２２の係止溝２８に係入することができるのである。
【００２６】
上記のような継手構造においては、図５に示すように、継手本体２に嵌入された潅水用送水パイプ５，６の先端は、小径部分２５によって嵌入方向を規制され、また、係止突起７１〜７４が係止溝２７，２８に係止されて当該パイプ５，６が引き抜き方向に規制されるものである。従って、基本的には、前述の継手構造と同様に継手本体２と潅水用送水パイプ５，６の先端との間にパッキン３，４が介在することとなるから、継手本体２と潅水用送水パイプ５，６との間から水が漏れることはない。さらに、上記係止溝２７，２８によって係止される係止突起７１〜７４は、比較的緩やかな状態で係止されることから、上記潅水用送水パイプ５，６の軸線方向に遊びを有するものであるが、この場合、当該パイプ５，６の先端と継手本体２の小径部分２５との間において、間隙が生じることとなるものの、パッキン３，４を上述の構成とすることにより、緊密にシールされるものである。
【００２７】
本発明の実施形態は上記のとおりであるから、各部材を塩化ビニル製で構成することができる。すなわち、上述の継手構造によれば、継手本体２と潅水用送水管５，６は、緊密な状態で接続していなくても水漏れの心配がなく、特に、高圧の水を送る場合に当該パイプ５，６が引き抜かれることがなければ、パッキン３，４の円環当接部３２がパイプ５，６の表面に強く当接されることから、両者の連結精度が要求されないからであり、また、送水しない場合のパッキン３，４と潅水用送水パイプ５，６との関係についても、これらが緊密に当接することも要求されないからである。
【００２８】
なお、本発明の趣旨を逸脱しない範囲において種々の態様をとることは可能である。例えば、継手にかかる上記実施形態において、パッキン装着部２４，２５は、継手本体２のスリーブ２１，２２の内壁を凹状にしてなる溝で構成されていたが、図６に示すように、継手本体２の中央に設けられる小径部分２５の両側端縁から所定の間隙を有しつつ、スリーブ２１，２２の内壁に円環状の突出部３１，４１を設けることによって、同様の凹状溝が構成され、これをもってパッキン装着部２３，２４とすることができる。この場合は、スリーブ２１，２２の内径とパッキン３，４および突出部３１，４１の内径とが異なるため、連結すべき潅水用送水パイプ５，６の先端には、パイプ本体の外径よりも小径となる先端部５１，６１を構成することにより、継手本体２に嵌入したパイプ５，６は、先端部５１，６１が上記パッキン３，４および突出部３１，４１の内部に侵入することとなるので、パッキン３，４による前記と同様のシール効果を得ることができるものである。
【００２９】
そして、上記のような構成の継手を使用する場合の継手構造は、図７に示すように、潅水用送水パイプ５，６の先端部５１，６１が、小径部分２５に当接して嵌入が制限され、かつ、先端部５１，６１の外側表面が、パッキン３，４の円環当接部に当接するものである。なお、上記パイプ５，６に設けられる係止突起７１〜７４は、先端部５１，６１ではなくパイプ５，６の本体部分に設けられることによって強度を維持することができる。
【図面の簡単な説明】
【００３０】
【図１】継手の実施形態を示す説明図である。
【図２】パッキンの形態を示す断面図である。
【図３】継手構造の実施形態を示す説明図である。
【図４】他の継手を示す説明図である。
【図５】他の継手構造を示す説明図である。
【図６】継手本体を変更した一例を示す説明図である。
【図７】継手本体を変更した場合の継手構造を示す説明図である。
【符号の説明】
【００３１】
１  継手
２  継手本体
３，４  円環状パッキン
５，６  潅水用送水パイプ
２１，２２  スリーブ
２３，２４  円環状パッキン装着部
２５  小径部分
２７，２８  係止溝
２９  係入溝
３１  円環基部
３２  円環当接部
３３  空隙部
７１，７２，７３，７４  係止突起
【図１】
2005155662.tif 000003
【図２】
2005155662.tif 000004
【図３】
2005155662.tif 000005
【図４】
2005155662.tif 000006
【図５】
2005155662.tif 000007
【図６】
2005155662.tif 000008
【図７】
2005155662.tif 000009